(57)【要約】      （修正有）【課題】少なくとも二種の色彩が形成され、全体的な美感、品質、安定性、および耐用性を向上できる自転車用の泥除け装置を提供する。【解決手段】プラスチックで製造された泥除け本体１と複数のアルミ薄片２とを備える。複数のアルミ薄片は、泥除け本体に形成されている凹溝１０の内部に結合されている。凹溝には、半透明の光拡散材料または有色かつ半透明の光拡散材料である透光部材３が充填され、アルミ薄片と透光部材と泥除け本体とは一体となる。アルミ薄片の表面には、所定の模様、図形、幾何形状、または、図案を有する第一表示部２０が形成され、透光部材には、所定の図形、幾何形状、または商標マークを有する第二表示部が形成されていることが好ましい。【選択図】図５
0003198820.tif 000002
【実用新案登録請求の範囲】
【請求項１】
プラスチックで製造された泥除け本体と複数のアルミ薄片とを備え、
複数の前記アルミ薄片は、前記泥除け本体に形成されている凹溝の内部に結合されており、
前記凹溝は、内部に、半透明の光拡散材料または有色かつ半透明の光拡散材料である透光部材が充填されており、
前記アルミ薄片と前記透光部材と前記泥除け本体とが一体となることを特徴とする泥除け装置。
【請求項２】
前記アルミ薄片は、表面に、所定の模様、図形、幾何形状、または、図案を有する第一表示部が形成されていることを特徴とする請求項１に記載の泥除け装置。
【請求項３】
前記透光部材は、所定の図形、幾何形状、または商標マークを有する第二表示部が形成されていることを特徴とする請求項１に記載の泥除け装置。
【請求項４】
前記アルミ薄片の前記第一表示部は二層の図形、または、二層の幾何形状を有することを特徴とする請求項２に記載の泥除け装置。
【考案の詳細な説明】
【技術分野】
【０００１】
本考案は、自転車及び電動自転車の泥除け装置に関する。
【背景技術】
【０００２】
「泥除け」は、自転車や電動自転車の車輪が石ころだらけの道や水溜りを走行する時に、土や水が騎乗者に撥ねないようにするためのものである。
一般に、泥除けは、プラスチック、合成繊維、アクリルまたは金属物体等のうちのいずれかの材質を選択して組成される。しかしながら、現在はその製造コストを削減するために、ＰＥ素材が採用され、厚さ約０．０５ｍｍのアルミ片等の二種類の材料が共押出方式で合わされて、厚さ１．５ｍｍ〜２．０ｍｍの泥除けが製作されるが、この方法では、立体感がなく、カラフルさにも欠ける。且つ、同一材質の一体成型であるため、その形態は常に同じであり、単調であると同時に平凡で何ら装飾効果を有さない上に、その表面は色を組み合わせることができないため、自転車及び電動自転車と相互に色を組み合わせることが困難である。泥除けの美感を高め、商標マークを提供するために、図形や図案を印刷したシールを泥除け表面に貼る方式を採用するのが現在最も一般的な方法である。しかしながら、このようなシールを貼る方式の最大の欠点は、シールを貼る作業が完全に人の手によるものであるという点である。このため、スピーディーな量産が不可能である上に、シールを貼る際の仕事の丁寧さは人によって異なる。例えば、カーブを描く表面に、人の手でシールを貼ると、往々にして皺が生じる上、何とか作業が完了しても、小さな面積のシールを貼る作業の丁寧さがおざなりにされる場合が多く、そのでき上がりの質に影響する。また、泥除け表面にシールを貼る際、シール自身の厚みの関係から、前記泥除けの表面上にその厚み分が突出する。長期にわたって拭いたり、こすったりすれば、自然と前記シールの端がはがれたり、前記シールの端の内側に汚れが溜まって、泥除け全体の外観に影響する。
従来の泥除けが有する欠点に鑑み、本考案は、共押出方式により、アルミ薄片と透光部材及び図形または図案を泥除け本体に加工して一体成型することにより、アルミ薄片と透光部材及び図形または図案を泥除けに結合させて、泥除けの美感性及び耐用性、使用寿命を高める効果を達成する。同時に、共押出方式で一体化させることで、品質を安定させ、生産量を高める効果も達成させて、大幅にその製造コストを削減して、従来の泥除けが有する欠点を解決する。
【考案の概要】
【考案が解決しようとする課題】
【０００３】
本考案は、上述の問題に鑑みてなされたものであり、その目的は、泥除け本体にアルミ薄片と透光部材とを押出加工し、光反射片、図案、または、商標マークを有する泥除け装置を提供することにある。
【課題を解決するための手段】
【０００４】
上記課題を解決するために、本考案は、主に、泥除け装置の泥除け本体の所定の位置に凹溝を設置し、凹溝の中に透光部材を設置する。これにより、泥除け装置に少なくとも二種の色彩が形成され、効果的に泥除けの全体的な美感、品質、安定性、および耐用性が向上する。
【０００５】
また、上記課題を解決するために、本考案は、透光部材の中にあらかじめ図形、幾何形状、または商標マークを設置する。これにより、泥除け装置の表面に所定の図形、幾何形状、または商標マークを表現することができ、効果的に泥除け装置の美感を高めることができる。
【０００６】
また、上記課題を解決するために、本考案は、透光部材の下にアルミ薄片を設置する。前記アルミ薄片の表面に、模様、図形、幾何形状、または図案を設置し、透光部材の半透明の光拡散効果により、アルミ薄片の表面の模様、図形、幾何形状、または、図案の特色を突出させ、泥除け装置の美感及び価値を高めることができる。
【０００７】
本考案の泥除け装置は、従来の泥除け装置の欠点及び問題を解決することができる。泥除け本体に凹溝を設置し、凹溝内に透光部材を設けることで、透光部材で、図形、幾何形状、または商標マークを表現することができる。また、アルミ薄片の表面に、所定の模様、図形、幾何形状、または、図案を加工し、透光部材の光拡散作用によって、泥除け本体の表面に、図形、幾何形状、または、商標マークを表現することができる。模様、図形、幾形状、または図案を表現することにより、泥除け装置の全体的な美感及び価値を大幅に向上させることができる。また、道路の光反射板のような効果を達成することができる。同時に、透光部材と泥除け本体を共に押出して加工を完成することで、泥除け装置に少なくとも二種類の色彩を形成させ、効果的に泥除けの全体的な美感、品質、安定性、耐用性及び、生産量を高めることができる。
【図面の簡単な説明】
【０００８】
【図１】本考案の第一実施形態による泥除け装置の構造を示す模式図である。
【図２】本考案の第一実施形態による泥除け装置の構造を示す断面図である。
【図３】本考案の第二実施形態の構造を示した模式図である。
【図４】本考案の第二実施形態の構造における断面図である。
【図５】本考案の第三実施形態の構造を示した模式図である。
【図６】本考案の第三実施形態の構造における断面図である。
【図７】本考案の第四実施形態の構造を示した模式図である。
【図８】本考案の第四実施形態の構造における断面図である。
【考案を実施するための形態】
【０００９】
（実施形態）
本考案の泥除け装置を詳細に説明するために、図面を参照しながら説明する。
図１から図２を参照しながら説明する。図１及び図２は、本考案の第一実施形態による泥除け装置の構造を示した図及びその断面図である。本考案の第一実施形態による泥除け装置は、主に、プラスチックで製造された泥除け本体１内に、複数のアルミ薄片２が結合されて、型により成型されて成る。図面からわかるように、本考案は主に泥除け本体１の表面に、凹溝１０が設置され、さらに、前記凹溝１０中に、アルミ薄片２と透光部材３が設置されて、同時に共押出により一体となることで、前記アルミ薄片２と透光部材３が、泥除け本体１と完全に一体となり、剥離することはない。上述の透光部材３は、半透明の光拡散材料または色彩の半透明光拡散材料である。泥除け本体１表面には、少なくとも二種類の色彩が形成されて、効果的に泥除け装置の全体的な美感性及び品質の安定性、耐用性及び生産量を高める。
【００１０】
次に、図３から図４を参照しながら説明する。図３及び図４は、本考案の第二実施形態の構造を示した図及び断面図である。図面からわかるように、上述の構造特徴に基づき、本考案は、透光部材３を同時に共押出した場合において、第二表示部３０に図形または幾何図形または商標マークを形成することが予想される。透光部材３の光拡散作用を通して、泥除け本体１表面に、第二表示部３０の前記所定の図形または幾何図形または商標マークを表現することが可能で、効果的に、泥除け装置の美感性及び付加価値を高める。または、直接に第二表示部３０の前記図形または幾何図形または商標マークをアルミ薄片２表面に設置し、透光部材３の光拡散作用を利用して、第二表示部３０の前記図形または幾何図形または商標マークによって立体感を表現する視覚効果をもたせることができる。
【００１１】
図５から図６を参照しながら説明する。図５から図６は、本考案の第三実施形態の構造を示した図及び第三実施形態の構造における断面図である。図面からわかるように、上述の構造特徴に基づき、本考案は、アルミ薄片２の表面に、圧延方式によって第一表示部２０が形成されている。第一表示部は、所定の模様、図形、幾何形状を有する。透光部材３の光拡散作用によって、アルミ薄片２表面の第一表示部２０の模様または図形または幾何図形または図案を完全に出現させる。且つ、立体的な視覚効果を達成して、効果的に泥除け本体１の全体的な美感及び価値観を高める外、さらに、道路の光反射板と同様の効果を達成する。また、アルミ薄片の第一表示部２０の模様または図形または幾何図形または図案を重ねる方式で別の商標マーク２１を加工することも可能である。これは、図７から図８に示した第四実施形態のとおりである。
【００１２】
このように、本考案の泥除け装置は、確実に従来の自転車及び電動自転車の泥除け装置の構造が有する欠点及び問題を解決し、泥除け本体に凹溝は設置されて、前記凹溝内に透光部材がかぶせられて同時に共押出加工されて一体となることで、その透光部材中に図形または幾何図形または商標マークが出現する。または、直接アルミ薄片表面上に、所定の模様または図形または幾何図形または図案を延圧方式で加工し、透光部材の光拡散作用によって、泥除け本体の表面上に図形または幾何図形または商標マークを出現させるか、模様または図形または幾何図形または図案を出現させることにより、泥除け装置の全体的な美感及び価値観を大幅に向上させる外、道路の光反射板のような効果を達成する。同時に、透光部材と泥除け本体を共に共押出して加工を完成させることで、泥除け上に少なくとも二種類の色彩が形成されて、効果的に泥除けの全体的な美感性及び品質の安定性、耐用性及び生産量を高める。
【符号の説明】
【００１３】
１  泥除け本体、
１０  凹溝、
２  アルミ薄片、
２０  第一表示部
２１  商標マーク、
３  透光部材、
３０  第二表示部
【図１】
0003198820.tif 000003
【図２】
0003198820.tif 000004
【図３】
0003198820.tif 000005
【図４】
0003198820.tif 000006
【図５】
0003198820.tif 000007
【図６】
0003198820.tif 000008
【図７】
0003198820.tif 000009
【図８】
0003198820.tif 000010